(57)【要約】【課題】  画像が添付された電子メールを有効利用したアプリケーションを提供する。【解決手段】  メール送受信機能付携帯電話装置で、メールに添付されてくる撮影画像を認識し、その認識結果からメール開封時に効果音などのメロディをバックグラウンドで再生する。【選択図】  図１
2006229405.tif 000002
【特許請求の範囲】
【請求項１】
電子メールを受信する受信手段を備えた携帯電話装置において、
前記受信手段によって受信した電子メールに添付されてきた画像の特徴点を抽出する特徴点抽出手段をさらに備えたことを特徴とする携帯電話装置。
【請求項２】
画像を撮影する手段を備えた携帯電話装置において、
前記撮影手段によって撮影した画像の特徴点を抽出する特徴点抽出手段をさらに備えたことを特徴とする携帯電話装置。
【請求項３】
所定の特徴点をあらかじめ記憶した記憶手段と、
前記特徴点抽出手段によって抽出した特徴点と前記記憶手段に記憶してある特徴点とを比較する特徴点比較手段と
をさらに備えたことを特徴とする請求項１または２に記載の携帯電話装置。
【請求項４】
前記特徴点比較手段による比較結果に基づいて鳴音させるメロディを異ならせる制御手段をさらに備えたことを特徴とする請求項３に記載の携帯電話装置。
【請求項５】
前記特徴点比較手段による比較結果に基づいて通知音を鳴音させる制御手段をさらに備えたことを特徴とする請求項３または４に記載の携帯電話装置。
【請求項６】
前記特徴点が人の顔の特徴点であることを特徴とする請求項１ないし５のうちのいずれか１項に記載の携帯電話装置。
【発明の詳細な説明】
【技術分野】
【０００１】
本発明は携帯電話装置に関し、画像を添付した電子メールを受信する機能を有する携帯電話装置に関する。
【背景技術】
【０００２】
従来のメール機能付携帯電話装置において、画像を添付される場合が多々あり、メールを開封する場合は、ただ単にメールに添付された画像を閲覧するのみであった。
【０００３】
特許文献１に記載の携帯電話装置では、画像を添付して電子メールを送信する際に、画像の特徴点を抽出し、その特徴点に対応付けられた電子メールアドレスを検索し、そのメールアドレスに対してその電子メールを送信するようにしている。
【０００４】
【特許文献１】特開２００４−２０１１９１号公報
【発明の開示】
【発明が解決しようとする課題】
【０００５】
特許文献１に記載の発明では、電子メール送信時の操作者の利便性を向上させることはできるものの、電子メールに添付した画像に基づいた他の処理を提供することについては何ら言及されておらず、画像が添付された電子メールを有効利用したアプリケーションの提供が望まれるものであった。
【０００６】
本発明は上記の点にかんがみてなされたもので、画像が添付された電子メールを有効利用したアプリケーションを提供することを目的とする。
【課題を解決するための手段】
【０００７】
本発明は、メール送受信機能付携帯電話装置で、メールに添付されてくる撮影画像を認識し、その認識結果からメール開封時に効果音などのメロディをバックグラウンドで再生することを特徴としている。
【０００８】
本発明は上記の目的を達成するために、電子メールを受信する受信手段を備えた携帯電話装置において、前記受信手段によって受信した電子メールに添付されてきた画像の特徴点を抽出する特徴点抽出手段をさらに備えたことを特徴とする。
【０００９】
また本発明は、画像を撮影する手段を備えた携帯電話装置において、前記撮影手段によって撮影した画像の特徴点を抽出する特徴点抽出手段をさらに備えたことを特徴とする。
【００１０】
また本発明は請求項１または２に記載の発明において、所定の特徴点をあらかじめ記憶した記憶手段と、前記特徴点抽出手段によって抽出した特徴点と前記記憶手段に記憶してある特徴点とを比較する特徴点比較手段とをさらに備えたことを特徴とする。
【００１１】
また本発明は請求項３に記載の発明において、前記特徴点比較手段による比較結果に基づいて鳴音させるメロディを異ならせる制御手段をさらに備えたことを特徴とする。
【００１２】
また本発明は請求項３または４に記載の発明において、前記特徴点比較手段による比較結果に基づいて通知音を鳴音させる制御手段をさらに備えたことを特徴とする。
【００１３】
また本発明は請求項１ないし５のうちのいずれか１項に記載の発明において、前記特徴点が人の顔の特徴点であることを特徴とする。
【発明の効果】
【００１４】
本発明によれば、画像が添付された電子メールを有効利用したアプリケーションを提供することができる。
【００１５】
すなわち本発明によれば、添付された画像データを解析することで、その画像に適したメロディを鳴音させる、また鳴音させるメロディを切り替えることで、ユーザに付加価値を提供することが可能である。
【発明を実施するための最良の形態】
【００１６】
以下、本発明の実施の形態を図面を参照して説明する。
【００１７】
図１は、本発明の一実施の形態による携帯電話装置の構成を示すブロック図である。
【００１８】
図１において、本実施の形態の携帯電話装置は、無線信号を送受信する送受信部１と、送受信信号や様々なアプリケーションを実現するための処理を実施するＣＰＵ２と、画像データなどを保存する記憶装置３と、メロディなどの鳴音を行う音声制御部４と、音声制御部４からの信号を出力するスピーカ５と、ユーザーに表示を行うためのＬＣＤを制御するＬＣＤ制御ドライバ６と、ＬＣＤ制御ドライバ６に制御されて表示を行うＬＣＤ７と、ユーザーのキー入力を検出するキー入力部８とから構成される。
【００１９】
次に、図１および図２を参照しながら本実施の形態の携帯電話装置の動作を説明する。
【００２０】
図２は、図１に示した携帯電話装置の動作を示すフローチャートである。
【００２１】
本実施の形態の携帯電話装置にて、画像データが添付された電子メールを受信したときに以下の動作が行われる。
【００２２】
メール機能にて添付されてくる画像データは、送受信部１を介してＣＰＵ２により、記憶装置３へ保存される。
【００２３】
メール受信すなわち着信をした際には、スピーカ５などを使用し、ユーザーへ通知を行うが、通知を受けたユーザーは、スピーカ５の鳴動によりメールの着信に気づき、キー入力部８にて着信したメールを開封する操作を行う。
【００２４】
着信したメールに画像が添付されているような場合、メール開封時に、図２に示すような処理をＣＰＵ２にて実施する。
【００２５】
図２において、まず画像データの取得をし（Ｓ１）、画像データより特徴点の抽出を行う（Ｓ２）。ここでいう特徴点とは人物の目や鼻、口などを指す。この特徴点の抽出の方法は従来からよく知られているので、ここではその詳しい説明は省略する。
【００２６】
特徴点を抽出できたならば、あらかじめ記憶装置３に記憶してある特徴点と比較し（Ｓ３）、比較の結果一致していたならば（Ｓ４）、メール開封と同時にユーザーが設定しているメロディをバックグラウンドにて鳴音させる（Ｓ５）。一致していない場合（Ｓ４）は、固定メロディすなわちあらかじめ定めたデフォルトのメロディを鳴音させる（Ｓ６）。
【００２７】
本実施の形態の携帯電話装置によれば、上述のようにメールに添付された画像の特徴点を抽出し、その結果により、鳴音するメロディを切り替えることで、携帯電話装置の付加価値を向上させることができる。
【００２８】
また、本実施の形態は、特徴点の比較結果に基づいて何らかの通知音を鳴音させるものであってもよい。
【００２９】
次に、図１とは別の実施の形態について説明する。
【００３０】
図３は、本発明の、図１とは別の実施の形態による携帯電話装置の構成を示すブロック図である。
【００３１】
図３に示す実施の形態の携帯電話装置では、図１に示した構成に加えて、カメラ９をさらに備えて構成される。
【００３２】
この実施の形態の携帯電話装置では、ユーザーがカメラ９で画像を撮影し、ＣＰＵ２の処理にて、その撮影した画像の特徴点を抽出し、その抽出した特徴点を、あらかじめ記憶装置３に記憶してある特徴点と比較し、その比較結果をユーザーに音で通知するなどの機能を備え、ユーザーが所望の画像が撮影されたかを撮影時に音による通知などで確認することが可能である。
【００３３】
また、このように撮影画像の特徴点を抽出する場合であっても、ＣＰＵ２の処理にて、その撮影した画像の特徴点を抽出し、その抽出した特徴点を、あらかじめ記憶装置３に記憶してある特徴点と比較し、その比較結果に応じて鳴音させるメロディを異ならせるようにしてもよい。
【図面の簡単な説明】
【００３４】
【図１】本発明の一実施の形態による携帯電話装置の構成を示すブロック図である。
【図２】図１に示した携帯電話装置の動作を示すフローチャートである。
【図３】本発明の、図１とは別の実施の形態による携帯電話装置の構成を示すブロック図である。
【符号の説明】
【００３５】
１  送受信部
２  ＣＰＵ
３  記憶装置
４  音声制御部
５  スピーカ
６  ＬＣＤ制御ドライバ
７  ＬＣＤ
８  キー入力部
９  カメラ
【図１】
2006229405.tif 000003
【図２】
2006229405.tif 000004
【図３】
2006229405.tif 000005